(57)【要約】【課題】分電盤を接続せずに発電機に直接負荷を接続した場合も保護協調等を可能としたエンジン駆動型発電機。【解決手段】防音箱２内に三相交流の発電機本体Ｇ，該発電機を駆動するエンジン，他の構成機器を収容したエンジン駆動型発電機１において，前記防音箱の壁面に凹部形状を成す出力端子箱３を形成し，該端子箱内に三相出力端子４１を備えた複数の負荷保護用しゃ断器４０と，発電機側三相出力端子５１を備えた三相出力端子台５０及び切換器３０を設ける。前記発電機Ｇからの回路を前記切換器３０によって分岐した回路を択一的に前記発電機本体に接続可能とし，切換器３０で分岐した一方の回路Ｃ１に前記三相端子台５０を，他方の回路Ｃ２に前記負荷保護用しゃ断器４０を並列に接続して，該しゃ断器４０の三相出力端子４１各々に負荷を接続可能とした。【選択図】図４
2010068693.tif 000002
【特許請求の範囲】
【請求項１】
発電機本体と，該発電機本体を駆動するエンジンとを防音箱内に収容したエンジン駆動型発電機において，
前記防音箱の壁面に凹部を形成して出力端子箱と成し，該出力端子箱内に切換器，三相出力端子台，及び複数の負荷保護用しゃ断器を収容し，
前記発電機本体の出力回路に前記切換器を接続して該出力回路を分岐し，分岐された回路のうちのいずれかを択一的に前記発電機本体に接続可能と成すと共に，前記切換器によって分岐された一方の回路に前記三相端子台を接続し，他方の回路に前記複数の負荷保護用しゃ断器を並列に接続して，前記各負荷保護用しゃ断器に設けた三相出力端子にそれぞれ負荷を接続可能としたことを特徴とするエンジン駆動型発電機。
【請求項２】
前記切換器及び負荷保護用しゃ断器の収容位置において前記出力端子箱を覆うカバーと，前記三相出力端子台の収容位置において前記出力端子箱を覆うカバーを，それぞれ独立して開閉可能に設けたことを特徴とする請求項１記載のエンジン駆動型発電機。
【請求項３】
前記カバーの一方を，前記防音箱に設けた開口を開閉する扉の一部分によって形成したことを特徴とする請求項１又は２記載のエンジン駆動型発電機。
【請求項４】
前記出力端子箱を前記防音箱の側壁に形成し，該出力端子箱内の高さ方向における所定位置よりも上方を前記切換器及び負荷保護用しゃ断器を収容する上段側収容部と成すと共に，前記所定位置よりも下方を前記出力端子台を収容する下段側収容部とし，
前記出力端子箱の奥行を，前記上段側収容部の奥行に対し，前記下段側収容部の奥行が深くなるよう形成すると共に，前記出力端子箱からのケーブルの引出口を，前記出力端子箱の下端側に設けたことを特徴とする請求項１〜３いずれか１項記載のエンジン駆動型発電機。
【請求項５】
前記下段側収容部に，単相出力用のコンセントを設けたことを特徴とする請求項４記載のエンジン駆動型発電機。
【発明の詳細な説明】
【技術分野】
【０００１】
本発明は，防音箱内に発電機本体と，この発電機本体を駆動するエンジン，その他の構成機器を収容したパッケージ型のエンジン駆動型発電機に関し，より詳細には，該エンジン駆動型発電機によって発生した電力を機外に出力するための出力部の構造に特徴を有するエンジン駆動型発電機に関する。
【背景技術】
【０００２】
発電機本体と，この発電機本体を駆動するためのエンジン，燃料タンク，その他必要な機器を防音箱内に収容してパッケージ化した可搬式のエンジン駆動型発電機は，工事現場やイベント会場，災害の被災地等において電力を得るために広く用いられている。
【０００３】
このようなエンジン駆動型発電機１では，三相交流発電機である発電機本体Ｇによって発電された電力を，各種の作業機等である負荷に給電することができるように，防音箱２の一部に凹部を設けて出力端子箱３を形成し，この出力端子箱３内に三相出力端子台７０を収容し，この三相出力端子台７０に設けた三相出力端子７１に電源ケーブルを接続することにより，電力を外部の機器に供給することができるように構成されている（図６及び図７参照）。
【０００４】
そして，エンジン駆動型発電機１と負荷（Ｌ１〜Ｌ３）との接続，特に複数の負荷を接続する場合には，エンジン駆動型発電機と負荷との間に分電盤を設けて電力を分配供給することにより(特許文献１の図１参照)，この分電盤によって，例えば短絡や地絡，その他の回路異常によって一部の回路に過電流が流れた際に，正常な回路に対する給電を維持しつつ，異常が生じている回路に対する給電を停止する保護協調を行うことができるものとしている。
【０００５】
ここで，分電盤８０には，一例として図８に示すように三相入力端子８１ａを備えた主しゃ断器８１と，この主しゃ断器８１より分岐した分岐回路にそれぞれ接続された複数の負荷保護用しゃ断器８２が設けられており，エンジン駆動型発電機１の出力端子箱３内に設けた三相出力端子７１と分電盤８０の主しゃ断器８２に設けた三相入力端子８１ａ間を電源ケーブルによって接続すると共に，各負荷保護用しゃ断器８２に設けた三相出力端子８２ａに，例えば水中ポンプ等の負荷（Ｌ１〜Ｌ３）を接続することにより，エンジン駆動型発電機１と負荷（Ｌ１〜Ｌ３）との接続が行われている。
【０００６】
なお，エンジン駆動型作業機１の発電機本体Ｇと出力端子箱３内に設けた三相出力端子台７０（三相出力端子７１）間には，図９に示すように発電機保護用のしゃ断器６０が設けられている。
【０００７】
エンジン駆動型発電機１の発電機本体Ｇから，分電盤８０の負荷保護用しゃ断器８２に設けた三相出力端子８２ａ迄の回路構成を示せば，図９に示す通りである。
【０００８】
この回路構成において，エンジン駆動型発電機１に設けた発電機保護用しゃ断器６０，分電盤８０に設けた主しゃ断器８１及び負荷保護用しゃ断器８２は，それぞれの許容電流値が定められており，回路内を流れる電流値が各しゃ断器の許容電流値を越えると回路を遮断し，給電を停止するように構成されている。
【０００９】
以上のように構成された分電盤８０を例えば建築現場等に配置する場合には，図６に示すようにエンジン駆動型発電機１の設置位置の近傍に予め分電盤スタンド９０を立設しておき，この分電盤スタンド９０に対して分電盤８０を固定することにより設置するのが一般的である。
【００１０】
なお，このような方法により分電盤８０を設置する場合には，移動等に際して分電盤スタンド９０の移設作業が必要である等，その作業が繁雑であることに鑑み，分電盤８０を，底部にキャスターが取り付けられた架台上に搭載して移動可能とした移動式分電盤も提案されている（特許文献２参照）。
【００１１】
この発明の先行技術文献情報としては次のものがある。
【特許文献１】特開２０００−４１３３９号公報
【特許文献２】特開平７−３２２４２９号公報
【発明の開示】
【発明が解決しようとする課題】
【００１２】
前述のエンジン駆動型発電機１を建築現場などで使用する場合，一旦，所定の場所にこれを設置した場合であっても，作業の進展に伴い設置場所を移動する必要が生じる場合も多い。
【００１３】
このような移動に際し，分電盤スタンド９０に分電盤８０を取り付けている場合には，エンジン駆動型発電機１や分電盤８０の移動のみならず，分電盤スタンド９０の移設作業が必要である等，エンジン駆動型発電機１及び分電盤８０の移動には多大な労力が費やされることとなる。
【００１４】
一方，前出の特許文献２に記載の移動式分電盤にあっては，架台の底部にキャスタを設けたことから，分電盤の移動に際し，分電盤スタンドの移設作業を行う必要がない。
【００１５】
しかし，エンジン駆動型発電機１の移動に際しては，エンジン駆動型発電機１に接続されている電源ケーブルを一旦，全て取り外す必要があり，そして移動が完了した後，再度，エンジン駆動型発電機１と分電盤８０とを電源ケーブルによって接続する必要があるため，例え分電盤８０を移動式のものとしたとしても，このような電源ケーブルの着脱という煩雑な作業を省略することはできない。
【００１６】
しかも，移動，設置に際し，別体として構成されたエンジン駆動型発電機１と分電盤８０は，それぞれ別個に移動，設置する作業が必要であり，移動に際して多大な労力が費やされると共に，エンジン駆動型発電機１と分電盤８０それぞれの設置スペースを確保する必要があることから，比較的広い設置スペースが必要となる。
【００１７】
そこで，本発明は，上記従来技術における欠点を解消するためになされたものであり，分電盤を接続することなく，エンジン駆動型発電機に設けた出力端子に対して直接，負荷を接続することができるエンジン駆動型発電機を提供することにより，分電盤の取り付けを不要とし，分電盤を取り付ける場合に生じていた移動，設置に際する労力の負担や比較的広い設置スペースの確保が必要である等の問題を解消することを目的とする。
【課題を解決するための手段】
【００１８】
上記目的を達成するために，本発明のエンジン駆動型発電機１は，発電機本体Ｇと，該発電機本体Ｇを駆動するエンジンとを防音箱２内に収容したエンジン駆動型発電機１において，前記防音箱２の壁面に凹部を形成して出力端子箱３と成し，該出力端子箱３内に切換器３０，三相出力端子台５０，及び複数の負荷保護用しゃ断器４０を収容し，
前記発電機本体Ｇの出力回路に前記切換器３０を接続して該出力回路を分岐し，分岐された回路（Ｃ１，Ｃ２）のうちのいずれかを択一的に前記発電機本体Ｇに接続可能と成すと共に，前記切換器３０によって分岐された一方の回路Ｃ１に前記三相端子台５０を接続し，他方の回路Ｃ２に前記複数の負荷保護用しゃ断器４０を並列に接続して，前記各負荷保護用しゃ断器４０に設けた三相出力端子４１にそれぞれ負荷（Ｌ１〜Ｌ３）を接続可能としたことを特徴とする（請求項１）。
【００１９】
前記構成のエンジン駆動型発電機１において，前記切換器３０及び負荷保護用しゃ断器４０の収容位置において前記出力端子箱３を覆うカバー（実施例において扉５）と，前記三相出力端子台５０の収容位置において前記出力端子箱３を覆うカバー（実施例において端子台カバー４）を，それぞれ独立して開閉可能に設けるものとすることができる（請求項２）。
【００２０】
更に，前記構成のエンジン駆動型発電機１において，前記カバーの一方（実施例において切換器３０と負荷保護用しゃ断器４０の収容部分を覆うカバー）を，前記防音箱２に設けた開口（実施例においてエンジンのエアフィルター点検用の開口６）を開閉する扉５の一部分によって形成するものとしても良い（請求項３）。
【００２１】
なお，前記出力端子箱３は，これを前記防音箱２の側壁に形成し，該出力端子箱３内の高さ方向における所定位置よりも上方を前記切換器３０及び負荷保護用しゃ断器４０を収容する上段側収容部３ｘと成すと共に，前記所定位置よりも下方を前記出力端子台５０を収容する下段側収容部３ｙとし，
前記出力端子箱３の奥行（ｄ１，ｄ２）を，前記上段側収容部３ｘの奥行ｄ１に対し，前記下段側収容部３ｙの奥行ｄ２が深くなるよう形成すると共に，前記出力端子箱３からのケーブルの引出口７を，前記出力端子箱３の下端３ａ側に設けるものとすることができる（請求項４）。
【００２２】
この場合，前記下段側収容部３ｙに，単相出力用のコンセント８を設けるものとしても良く（請求項５），更にはこのコンセント８のスイッチレバーを同様に下段側収容部３ｙに設けるものとしても良い。
【発明の効果】
【００２３】
以上説明した本発明の構成により，本発明のエンジン駆動型発電機１は，エンジン駆動型発電機１の出力端子（負荷保護用しゃ断器４０に設けた三相出力端子４１）に直接，負荷（Ｌ１〜Ｌ３）を接続した場合であっても，負荷が接続された回路中，正常な回路に対しては給電を維持しつつ，異常が生じている回路に対して給電を停止する保護協調を可能とすることができた。
【００２４】
その結果，このような保護協調等を行うために別途分電盤を接続する必要がなく，エンジン駆動型発電機１と分電盤間の煩雑な結線作業が不要となると共に，エンジン駆動型発電機１の移動を行う場合，エンジン駆動型発電機１のみを移動させれば良く，移動，設置等に際して負担する労力を大幅に軽減することができた。
【００２５】
また，分電盤の設置スペースが不要となることから，設置スペースを減少することが可能となった。
【００２６】
更に，切換器３０によって複数の負荷保護用しゃ断器４０を介した分配出力と，三相出力端子台５０に設けた三相出力端子５１を介した単一出力とが選択可能であることから，切換器３０の操作によって従来通り単一の三相出力端子５１を介した出力を行うことができる一方，負荷保護用しゃ断器４０を介して出力を行う場合，単一出力用の三相出力端子５１は三相交流発電機Ｇに接続されていない状態となることから，切換器３０を分配出力側に切り換えた状態で負荷保護用しゃ断器４０に設けた三相出力端子４１に対する結線作業中に作業者が誤って単一出力用の三相出力端子５１に接触してしまった場合であっても，感電等の危険性を排除することができた。
【００２７】
前記切換器３０及び負荷保護用しゃ断器４０の収容位置において前記出力端子箱３を覆うカバー５と，前記三相端子台５０の収容位置において前記出力端子箱３を覆うカバー４をそれぞれ設け，各カバー毎に開閉可能とした本発明のエンジン駆動型発電機１にあっては，一方のカバーのみを開放した状態で結線作業等を行うことにより，作業者が他方のカバーで覆われた出力端子等に接触することを防止することができた。
【００２８】
更に，このカバーの一方を，防音箱２に設けた点検窓６等の開口部を開閉する扉５の一部分によって形成することにより，部品の共用による部品点数の減少により構造を単純化して，製造，組み立て作業を容易なものとすることができた。
【００２９】
出力端子箱３の奥行を，上段側収容部３ｘの奥行ｄ１に対して下段側収容部３ｙの奥行ｄ２が深くなるように形成した構成にあっては，上段側収容部３ｘに収容された負荷保護用しゃ断器４０に接続された電源ケーブルが，下段側収容部３ｙに収容された機器，例えば三相出力端子台５０の三相出力端子５１や，下段側収容部３ｙに単相出力用のコンセント８やこのコンセント８のＯＮ，ＯＦＦを行うスイッチレバー等収容する場合には，前記コンセント８に差し込まれたプラグやスイッチレバー等と接触し難いものとすることができた。
【００３０】
その結果，負荷保護用しゃ断器４０に接続された電源コードが，これらの機器と接触することによる電源ケーブルの取り回しの悪化や，電源ケーブルとの接触によるプラグの脱落やスイッチレバーの誤動作の発生等を好適に防止することができた。
【００３１】
また，奥行ｄ１が浅く形成された上段側収容部３ｘでは，ここに収容された切換器３０や負荷保護用しゃ断器４０が，防音箱２の外側近くに配置されることとなるために，これらの機器に設けられたスイッチレバー等の操作が容易であった。
【発明を実施するための最良の形態】
【００３２】
次に，本発明の実施例につき添付図面を参照しながら以下説明する。
【００３３】
図１において符号１は本発明のエンジン駆動型発電機であり，このエンジン駆動型発電機１は，三相交流発電機である発電機本体Ｇ，該発電機本体Ｇを駆動するエンジン等，エンジン駆動型発電機１の構成機器を収容する防音箱２を備えている。
【００３４】
この防音箱２の壁面の所定位置には，防音箱２の内向きに陥没する凹部を形成し，この凹部によって出力端子箱３が形成されている。
【００３５】
この出力端子箱３内には，切換器３０，発電機本体Ｇの出力を分配出力するための複数（図示の例では３個）の負荷保護用しゃ断器４０，及び，発電機本体Ｇからの出力を分配されていない単一の出力として取り出すための三相出力端子５１を備えた出力端子台５０が収容されている。
【００３６】
このうちの切換器３０は，図４に示すように発電機保護用しゃ断器６０を介して三相交流発電機Ｇに接続されていると共に，この切換器３０によって発電機本体Ｇの出力回路を分岐して，分岐された一方の回路Ｃ１を前述の三相端子台５０に設けた三相出力端子５１に接続すると共に，他方の回路Ｃ２より分岐された分岐回路Ｃ２１〜Ｃ２３のそれぞれに負荷保護用しゃ断器４０を接続して，各負荷保護用しゃ断器４０に設けた三相出力端子４１に負荷を接続することで，複数の負荷に対して分配された給電を行うことができるように構成されている。
【００３７】
従って，切換器３０の操作によって発電機本体Ｇの出力を，単一出力用の三相出力端子５１，又は分配給電用の負荷保護用しゃ断器４０に設けられた三相出力端子４１のいずれかを介して選択的に取り出すことができるように構成されている。
【００３８】
図２に示す実施形態にあっては，前述の出力端子箱３を防音箱２の側壁に形成し，この出力端子箱３の高さ方向における中央よりも下側に，前述した三相出力端子台５０を配置すると共に，出力端子箱３の高さ方向における中央よりも上側に，前述の切換器３０，及び負荷保護用しゃ断器４０を水平方向に並べて配置している（図３参照）。
【００３９】
そして，出力端子箱３内に収容された前記三相出力端子台５０及びこの三相出力端子台５０に設けた三相出力端子５１の前面部分を覆うカバー（端子台カバー４）を設けると共に，切換器３０及び負荷保護用しゃ断器４０の前面を覆うカバー（扉５）をそれぞれ独立して開閉することができるように設けている。
【００４０】
このうち，切換器３０及び負荷保護用しゃ断器４０の前面を覆うカバーは，防音箱２内に収容された機器を保守，点検するために防音箱２の側壁に設けた開口を開閉するための扉５の一部によって形成することができ（図２，３参照），図示の実施形態にあっては，出力端子箱３の上方位置において防音箱２の側壁に設けた，エアフィルタのメンテナンス用の窓６を開閉する扉５の下端部を延長して，出力端子箱３の上部前面位置を覆い，この扉５の開放によってメンテナンス用の窓６を開放した際に，出力端子箱３内に収容された切換器３０及び負荷用しゃ断器４０を外部より操作することができるように構成している。
【００４１】
前述の端子台カバー４は，図示の例においてその上端側の一辺を防音箱２の側壁にヒンジ止めされて回動可能に構成されており，このヒンジ止めされた部分を中心として回動することにより，図２中に矢印で示すように回動して，出力端子箱３の下側部分の前面を覆い，又は開放することができるように構成されており，この端子台カバー４の回動によって出力端子箱３内に収容された三相出力端子５１に対する結線作業等を容易に行うことができるように構成されている。
【００４２】
この端子台カバー４は，図２に示すように，その下端４ａが出力端子箱３の下端縁３ａに対して所定の高さの高い位置となるように形成されており，この端子台カバー４の下端４ａと，出力端子箱３の下端縁３ａとの間に形成された間隔によって，電源ケーブルの引き出しスペースとなる引出口７が形成されている。
【００４３】
従って，前述したように端子台カバー４を図２中矢印で示すように回動させることにより引出口７の開口幅を拡大することができ，これによりケーブル接続等の作業性を向上させることができるように構成されており，この引出口７を介して水中ポンプなどの負荷に接続される電源ケーブルが出力端子箱３内に引き込まれ，負荷保護用しゃ断器４０に設けた三相出力端子４１に接続される。
【００４４】
以上のように構成されたエンジン駆動型発電機１において，防音箱２の出力端子箱３内に収容されている切換器３０は，図４に示すように発電機保護用しゃ断器６０を介して三相交流の発電機本体Ｇに接続されており，また，切換器３０によって分岐された一方の回路Ｃ１は，三相出力端子台５０に設けた三相出力端子５１に，他方の回路Ｃ２は，更にＣ２１〜Ｃ２３に分岐されてそれぞれ負荷保護用しゃ断器４０に接続されている。
【００４５】
このように，本発明のエンジン駆動型発電機にあっては，負荷保護用しゃ断器４０と前記発電機本体Ｇ間の配線接続が，切換器３０及び発電機保護用しゃ断機６０を介して予め行われていることから，負荷用保護しゃ断機４０に設けられた三相出力端子４１に水中ポンプ等の負荷（Ｌ１〜Ｌ３）を接続すると共に，切換器３０の操作によって三相交流発発電機Ｇと前記負荷保護用しゃ断器４０間を接続することにより，負荷保護用しゃ断器４０に設けた三相出力端子４１を介して負荷（Ｌ１〜Ｌ３）に給電を行うことができ，分電盤を別途設ける場合のように煩雑な配線作業を行う必要がない。
【００４６】
このとき，水中ポンプ等の各負荷（Ｌ１〜Ｌ３）は，それぞれが負荷保護用しゃ断器４０に接続されているために，それぞれ負荷が接続された回路中（Ｃ２１〜Ｃ２３）の１つに，短絡や地絡が生じる等の回路異常が生じることにより過電流が流れると，この異常があった回路に接続された負荷保護用しゃ断器４０が該回路に対する給電を停止するが，異常が生じていない回路に接続された負荷保護用しゃ断器４０は作動せずに負荷に対する給電を継続する。
【００４７】
従って，上記構成を備えた本発明のエンジン駆動型発電機１にあっては，分電盤の接続を省略して，エンジン駆動型発電機１に設けた三相出力端子４１に直接，負荷（Ｌ１〜Ｌ３）を接続した場合であっても保護協調を行うことができ，別途，分電盤を接続する作業が不要である。
【００４８】
そのため，エンジン駆動型発電機１の設置，移動等に際しても，煩雑なエンジン駆動型発電機１と分電盤間の電源ケーブルの接続作業を行う必要がない。
【００４９】
しかも，分電盤に対する接続が不要であることから，このような移動に際してエンジン駆動型発電機１のみを移動すれば良く，分電盤の移動や，分電盤の移動に伴う分電盤ポストの移設等の煩雑な作業が不要であると共に，エンジン駆動型発電機１と分電盤とを別個に設置する場合に比較して狭い設置スペース内に設置することが可能である。
【００５０】
また，エンジン駆動型発電機１の出力端子箱３内には，接続される各負荷（Ｌ１〜Ｌ３）毎に負荷保護用しゃ断器４０が設けられていることから，分電盤を別途接続しない場合であっても負荷保護用しゃ断器４０のそれぞれに設けられているスイッチレバー４２（図３参照）の操作により，各負荷（Ｌ１〜Ｌ３）毎に給電の開始，停止等の制御を行うことができ，結線を変更することなく必要な負荷のみを起動することができる。
【００５１】
同様に，水中ポンプ等の負荷（三相交流モータ）の起動時，各負荷保護用しゃ断器４０のスイッチレバー４２を操作することによって負荷（Ｌ１〜Ｌ３）を順次起動することにより，起動時の必要電力を低く抑えることができ，同時起動する場合に比較して，エンジン駆動型発電機１の発電機容量を小さなものとすることができる。
【００５２】
なお，本発明のエンジン駆動型発電機１にあっては，出力端子箱３内に三相出力端子台５０と負荷保護用しゃ断器４０の双方を設けていることから，例えばいずれかの負荷保護用しゃ断器４０を介して負荷（Ｌ１〜Ｌ３）へ電力を供給している状態で，別の負荷保護用しゃ断器４０の三相出力端子４１に電源ケーブルを繋ぎ替えようとして引出口７から出力端子箱３内に手を入れて作業する場合等，作業中に発電機側三相出力端子５１に手が触れるおそれがある。
【００５３】
しかし，本発明のエンジン駆動型作業機１にあっては，前述のように切換器３０を設け，発電機側三相出力端子５１からの出力と，負荷保護用しゃ断器４０に設けた三相出力端子４１からの出力を択一的に切り換えることができるように構成していることから，三相交流発電機Ｇが負荷保護用しゃ断機４０側に接続されている際には，発電機側三相出力端子５１側には給電が行われておらず，作業中に誤って発電機側三相出力端子５１に触れてしまった場合であっても感電する危険性がない。
【００５４】
このように，負荷保護用しゃ断器４０に設けた三相出力端子４１に対する結線作業中に，誤って発電機側三相出力端子５１に接触した場合であっても感電を防止できる構成となっていることから，結線作業中等に手等が接触することを回避するために切換器３０や負荷保護用しゃ断器４０，三相出力端子台５０等をそれぞれ離して配置する必要がなく，比較的狭い出力端子箱３内に負荷保護用しゃ断器４０や切換器３０，三相出力端子台５０を収容した場合であっても安全性を確保することが可能である。
【００５５】
その結果，このような出力端子箱３を防音箱２に設けた場合であっても，防音箱２，ひいてはエンジン駆動型発電機１のサイズを大型化することなく，エンジン駆動型発電機１に前述した各種の機能を負荷することができた。
【００５６】
なお，図２を参照して説明したエンジン駆動型発電機１にあっては，防音箱２の側壁に形成した前述の出力端子箱３を，防音箱２の内方に向かって一定の奥行きで形成するものとして説明したが，この出力端子箱３は，一例として図５に示すように，出力端子箱３の高さ方向における略中心位置よりも上側に形成された収容部（上段側収容部３ｘ）の奥行ｄ１に対し，下側に形成された収容部（下段側収容部３ｙ）の奥行ｄ２が深くなるように形成するものとしても良い。
【００５７】
このように形成された出力端子箱３において，上段側収容部３ｘに前述の切換器３０及び負荷保護用しゃ段器４０を収容し，一方，下段側収容部３ｙには三相出力端子台５０を収容することにより，図５に示すように，上段側収容部３ｘに収容された負荷保護用しゃ断器４０に接続された電源ケーブルが，三相出力端子台５０に設けた三相出力端子５１に接触し難くすることができる。
【００５８】
また，負荷保護用しゃ断器４０と，三相出力端子台５０の双方に共に電源ケーブルを接続した場合であっても，両電源ケーブルは離間した状態で配置されることとなるために，両者が絡まり合って結線作業や結線状態の点検等を行う際の障害となることも防止できた。
【００５９】
更に，スイッチレバーが設けられている切換器３０や負荷保護用しゃ断器４０は，奥行ｄ１が浅く形成された上段側収容部３ｘに収容されていることから，切換器３０や負荷保護用しゃ断器４０を扉５側に近い位置に配置でき，切換器３０や負荷保護用しゃ断器４０に設けたスイッチレバーの操作が容易である。
【００６０】
加えて，下段側収容部３ｙに，更に単相出力用のコンセント８等を設ける場合には，コンセント８に差し込まれたプラグが上段側収容部３ｘと下段側収容部３ｙとの境界部分に生じた段部３ｚの影に入って負荷保護用しゃ断器４０に接続された電源ケーブルと接触することを防止でき，このような電源ケーブルとの接触によりプラグがコンセント８より抜け落ちる等の不都合を防止することができた。
【００６１】
特に，下段側収容部３ｙにこのようなコンセント８のスイッチレバーを設ける場合，このスイッチレバーについても段部３ｚの影に入って負荷保護用しゃ段器４０に接続した電源ケーブルと接触することを防止できることから，電源ケーブルとの接触により予期せぬスイッチのＯＮ，ＯＦＦ等が生じることを防止でき安全である。
【図面の簡単な説明】
【００６２】
【図１】負荷を接続した状態のエンジン駆動型発電機の説明図。
【図２】防音箱の断面概略図。
【図３】出力端子箱の上半分部分の正面図（扉を開いた状態）。
【図４】発電機本体から出力端子までの配線図。
【図５】出力端子箱の変形例を示す防音箱の断面概略図。
【図６】従来のエンジン駆動型発電機に対する負荷の接続状態を示す説明図。
【図７】出力端子箱内の配置状態を示す説明図（端子カバーを開けた状態）。
【図８】分電盤の説明図（扉を開いた状態）。
【図９】発電機本体から分電盤の出力端子までの配線図。
【符号の説明】
【００６３】
１  エンジン駆動型発電機
２  防音箱
３  出力端子箱
３ａ  下端縁（出力端子箱の）
３ｘ  上段側収容部
３ｙ  下段側収容部
３ｚ  段部
４  端子台カバー
４ａ  下端（端子台カバーの）
５  扉
６  開口
７  引出口
８  コンセント（単相出力用）
３０  切換器
４０  負荷保護用しゃ断器
４１  三相出力端子（負荷保護用しゃ断器）
４２  スイッチレバー
５０  三相出力端子台
５１  三相出力端子（三相出力端子台の）
６０  発電機保護用しゃ断器
７０  三相出力端子台
７１  三相出力端子
８０  分電盤
８１  主しゃ断器
８１ａ  三相入力端子
８２  負荷保護用しゃ断器
８２ａ  三相出力端子
９０  分電盤スタンド
Ｇ  発電機本体
Ｃ１，Ｃ２，Ｃ２１〜Ｃ２３  分岐回路
Ｌ１〜Ｌ３  負荷（水中ポンプ）
【図１】
2010068693.tif 000003
【図２】
2010068693.tif 000004
【図３】
2010068693.tif 000005
【図４】
2010068693.tif 000006
【図５】
2010068693.tif 000007
【図６】
2010068693.tif 000008
【図７】
2010068693.tif 000009
【図８】
2010068693.tif 000010
【図９】
2010068693.tif 000011